(57)【要約】【課題】  着用者の不快感を低減することができ、また、着脱が容易であり、しかも、防塵性織物生地のみによって構成されたものとほぼ同等の防塵性を有する防塵衣を提供する。【解決手段】  後身頃の幅方向中央であって、ウェスト線５と襟ぐり線４との中間位置Ｍよりも上方の位置に、防塵性ニット素材によって構成された背面ニット部２を配置し、両脇下部分に、脇下ニット部３ａ，３ｂを配置した。【選択図】  図１
2006152481.tif 000002
【特許請求の範囲】
【請求項１】
後身頃の幅方向中央であってウェスト線と襟ぐり線との中間位置よりも上方の位置に、防塵性ニット素材によって構成された背面ニット部が配置され、両脇下部分に、脇下ニット部がそれぞれ配置されていることを特徴とする高清浄度クリーンルーム用防塵衣。
【請求項２】
前記背面ニット部と、脇下ニット部とが、それぞれ繋がった状態となっていることを特徴とする、請求項１に記載の高清浄度クリーンルーム用防塵衣。
【発明の詳細な説明】
【技術分野】
【０００１】
本発明は、クリーンルーム用の防塵衣に関し、特に、着用時における不快感を低減することができる防塵衣に関する。
【背景技術】
【０００２】
現在製品化されているクリーンルーム用の防塵衣としては、適用するクリーンルームの清浄度レベルに応じて様々なタイプのものがある。また、防塵衣に使用される生地素材にも様々なものがあり、用途等に応じて各種のバリエーションが用意されている。例えば、高い防塵性を有する織物生地のみによって構成されているものや、袖口や襟などの部分に、防塵性ニット素材を限定的に使用したものなどが知られている。
【０００３】
但し、防塵性ニット素材は、防塵性織物生地と比べると防塵性がやや劣るため、主として高い清浄度（例えば、クラス１０００、或いは、それよりも高い清浄度）のクリーンルームにおいて使用される防塵衣は、ほとんどのものが織物生地のみによって構成されている。
【発明の開示】
【発明が解決しようとする課題】
【０００４】
防塵性織物生地のみによって構成された防塵衣は、当然のことながら、着用者のほぼ全身を覆ってしまうことになるが、防塵性織物生地は一般的な生地と比べて通気性が悪いため、着用者において汗をかきやすく、また、内側に湿気が滞留してしまうため、着用者に「蒸れ感」等の不快感を与えてしまうという問題がある。
【０００５】
また、防塵性織物生地は伸縮性が殆ど無いため、防塵性織物生地のみによって構成された防塵衣には、着用者の動きが規制されてしまうという問題のほか、着脱に手間がかかるといった問題がある。
【０００６】
本発明は、上記のような従来技術の問題を解決すべくなされたものであって、着用者の不快感を低減することができ、また、着脱が容易であり、しかも、防塵性織物生地のみによって構成されたものとほぼ同等の防塵性を有する防塵衣を提供することを目的とする。
【課題を解決するための手段】
【０００７】
本発明の防塵衣は、高清浄度（クラス１０００、或いは、これより高い清浄度）クリーンルーム用の防塵衣であって、後身頃の幅方向中央であってウェスト線と襟ぐり線との中間位置よりも上方の位置に、防塵性ニット素材によって構成された背面ニット部が配置され、両脇下部分に、脇下ニット部が配置されていることを特徴としている。尚、前記背面ニット部と各脇下ニット部は、必ずしも相互に独立した状態で配置される必要はなく、それぞれが繋がった状態となるように配置することもできる。
【発明の効果】
【０００８】
本発明の防塵衣は、ニット部に使用されている防塵性ニット素材が防塵性織物生地と比べて通気性に優れているため、ここから内側の湿気を外部へ好適に排出することができ、「蒸れ感」が解消されるとともに、「冷涼感」を与えることができる。
【０００９】
また、背面ニット部と各脇下ニット部が繋がった状態となるように配置した場合には、着用者における動作の自由度が向上し、着脱も容易になるという効果を期待することができる。
【００１０】
更に、ニット部を、湿気を効果的に排出できる位置に限定して配置することにより、防塵性織物生地のみによって構成された防塵衣とほぼ同等の防塵性を得ることができる。
【発明を実施するための最良の形態】
【００１１】
以下、添付図面に沿って、本発明の実施形態について説明する。図１は、本発明の第１実施形態の防塵衣１の背面図であり、図２はその正面図である。これらの図において２は背面ニット部、３（３ａ，３ｂ）は脇下ニット部である。これらのニット部２，３は、防塵性ニット素材によって構成されており、それら以外の部分は、防塵性織物生地によって構成されている。
【００１２】
背面ニット部２は、図示されているように円形で、ウェスト線５と襟ぐり線４との中間位置Ｍよりも上方であって、後身頃の幅方向中央に配置されている。尚、大きさは１５０ｃｍ２（直径約１４ｃｍ）となっている。一方、脇下ニット部３ａ，３ｂは、左右両脇下にそれぞれ配置されている。
【００１３】
背面ニット部２が形成されている位置は、着用者の頸椎から左右の肩甲骨に至る部分に当接する場所であり、ここは、人体の表面のうち最も温度が高くなる部位の一つである。また、脇下ニット部３ａ，３ｂが形成されている脇の下部分も、最も体温が高くなる部位である。
【００１４】
そして、これらのニット部２，３に使用されている防塵性ニット素材は、防塵性織物生地と比べて通気性に優れているため、本実施形態の防塵衣１を着用した場合、体温が最も高くなる部位から、防塵衣１の内側の湿気を外部へ排出することができる。従って、着用者においては「蒸れ感」が解消され、また、湿気が排出される際、気化熱が奪われることになるため、着用者の体温を下げ、「冷涼感」を与えることができる。
【００１５】
図３は、本発明の第２実施形態の防塵衣１の背面図であり、図４はその正面図である。これらの図において６は、防塵性ニット素材によって構成されたニット部である。本実施形態１の防塵衣１は、図示されているように、第１の実施形態における背面ニット部２に相当する部分（図３の破線Ｄの部分）と、脇下ニット部３ａ，３ｂに相当する部分（図３の破線Ｅ１，Ｅ２の部分）とが、それぞれ繋がった（連続した）状態となっている。
【００１６】
そして、第１の実施形態の防塵衣１と同様に、人体の表面のうち最も温度が高くなる頸椎から左右の肩甲骨に至る部分、及び、両脇下に当接する部分にニット部６が配置されているため、内側の湿気を好適に排出することができ、「蒸れ感」を解消し、「冷涼感」を与えるという効果を期待することができる。
【００１７】
更に、ニット部６に使用されている防塵性ニット素材は、防塵性織物生地と比べて伸縮性に優れているため、着用者における動作の自由度が向上する。例えば、着用者が左右の腕を水平方向へ回すような動作をした場合でも、伸縮性に優れるニット部が後身頃の全幅にわたって連続しているため、生地が左右方向へ好適に伸縮し、生地が突っ張って動作が規制されてしまうというような問題を回避することができる。また、着脱も容易になるという効果を期待することができる。
【実施例】
【００１８】
本発明の防塵衣は、防塵性織物生地と比べて僅かに防塵性が劣る防塵性ニット素材を部分的に使用しているため、理論的には、防塵性織物生地のみによって構成した防塵衣（クラス１０００以上の高い清浄度のクリーンルームに適用可能な防塵衣）と比べて防塵性は低くなると考えられるが、本発明の発明者らが行った実験の結果、本発明の防塵衣は、防塵性織物生地のみによって構成した防塵衣とほぼ同等、或いは、それ以上の防塵性を有していること等が実証された。以下、発明者らが行った各種試験の結果を、本発明の実施例として説明する。
【００１９】
１．タンブリング発塵測定
まず、本発明の実施例として、図３及び図４に示した防塵衣１（以下、単に「実施品」と言う。）を用意し、比較例として、防塵性織物生地のみによって構成した、クラス１００以上の高い清浄度のクリーンルームに適用可能な防塵衣（以下、単に「比較例」と言う。）を用意し、製品単体の発塵性を比較するために、タンブリング発塵測定を行った。
【００２０】
試験ドラム内に実施品（本発明に係る防塵衣）を投入し、蓋を閉め、所定条件下でドラムを回転させ、パーティクルカウンターＫＣ−２１、及び、ＫＭ−２７を使用して、実施品から発するパーティクルの数（１リットルの空気中に含まれるパーティクルの個数）をパーティクルの直径別に測定するという試験を、それぞれ複数回ずつ繰り返し行った。また、比較例についても同様の試験を複数回行った。それらの結果を表１及び表２に示す。
【００２１】
【表１】
2006152481.tif 000003
（＊パーティクルカウンターＫＣ−２１により測定）
【００２２】
【表２】
2006152481.tif 000004
（＊パーティクルカウンターＫＭ−２７により測定）
尚、これらの表に示されている測定結果（数値）は、複数回の試験によって得られた数値の平均値である。
【００２３】
２．着用時発塵測定（両腕交差運動）
次に、試験者が実施品を着用し、両腕を拡げた状態から、身体の前方で交差させる動作を反復（１分間に４０回）して行った場合において、実施品から発するパーティクルの数（１リットルの空気中に含まれるパーティクルの個数）をパーティクルの直径別に測定するという試験を、複数回繰り返し行った。また、比較例についても同様の試験を複数回行った。それらの結果を表３に示す。
【００２４】
【表３】
2006152481.tif 000005
（＊パーティクルカウンターＫＭ−２７を試験者の背面側に設置して測定）
尚、これらの表に示されている測定結果（数値）は、複数の試験者による複数回の試験によって得られた数値の平均値である。
【００２５】
３．着用時発塵測定（足踏み運動）
試験者が実施品を着用し、足踏み運動（１分間に１００歩）を行った場合において、実施品から発するパーティクルの数（１リットルの空気中に含まれるパーティクルの個数）をパーティクルの直径別に測定するという試験を、複数回繰り返し行った。また、比較例についても同様の試験を複数回行った。それらの結果を表４及び表５に示す。
【００２６】
【表４】
2006152481.tif 000006
（＊パーティクルカウンターＫＣ−２１を試験者の正面側に設置して測定）
【００２７】
【表５】
2006152481.tif 000007
（＊パーティクルカウンターＫＣ−２１を試験者の背面側に設置して測定）
尚、これらの表に示されている測定結果（数値）は、複数回の試験によって得られた数値の平均値である。
【００２８】
４．着用時発塵測定（上体ひねり運動）
試験者が実施品を着用し、上体を９０度程度左右交互にひねる運動（１分間に５０回）を行った場合において、実施品から発するパーティクルの数（１リットルの空気中に含まれるパーティクルの個数）をパーティクルの直径別に測定するという試験を、複数回繰り返し行った。また、比較例についても同様の試験を複数回行った。それらの結果を表６に示す。
【００２９】
【表６】
2006152481.tif 000008
（＊パーティクルカウンターＫＣ−２１を試験者の背面側に設置して測定）
尚、これらの表に示されている測定結果（数値）は、複数回の試験によって得られた数値の平均値である。
【００３０】
上記表１〜６に示されているように、殆どの試験において、「実施品から発したパーティクルの数は、比較例よりも少なかった」という結果が得られた。従って、本発明の防塵衣は、防塵性織物生地のみによって構成した防塵衣とほぼ同等、或いは、それ以上の防塵性を有しているということが、これらの一連の試験によって実証されたことになる。
【００３１】
本発明の防塵衣において、高い防塵性が得られる理由は必ずしも定かではないが、体温が高くなる部分にニット部を配置したこと、また、それらの部分に限定して（内部の湿気を排出するために必要かつ十分な大きさに限定して）配置したこと等により、湿気が排出される際、水分が付着してニット部が湿潤し、その結果、排出空気中に含まれるパーティクルの補足効率が向上したのではないかと考えられる。また、ニット部の総面積が大きすぎると（例えば、背中全面にニット部を配置したような場合には）、防塵性が低下し、クラス１０００の清浄度のクリーンルームには、適用できなくなる可能性がある。
【００３２】
５．防塵衣内湿度の測定
上記のような試験を行ったほか、本発明の発明者らは、着用時における実施品の内側の湿度を３０分間連続的に測定することにより、ニット部による湿気の排出効果についての検証を行った。より詳細には、試験者に着用させた実施品の内側に湿度センサーを取り付け、開始から５分間は試験者を椅子に座らせて安静にし、その後１０分間にわたって試験者を歩行（５ｋｍ／ｈ）させ、その後の１５分間は再び椅子に座らせて安静にし、その間の実施品の内側の湿度を経時的に連続測定した。また、比較例についても同様の試験を行った。それらの結果を表７に示す。
【００３３】
【表７】
2006152481.tif 000009
【００３４】
この試験結果からも明らかなように、本発明の防塵衣は、極めて効果的に内部の湿気を排出することができるということが実証された。
【図面の簡単な説明】
【００３５】
【図１】本発明の第１の実施形態に係る防塵衣１の背面図。
【図２】本発明の第１の実施形態に係る防塵衣１の正面図。
【図３】本発明の第２の実施形態に係る防塵衣１の背面図。
【図４】本発明の第２の実施形態に係る防塵衣１の正面図。
【符号の説明】
【００３６】
１：防塵衣、
２：背面ニット部、
３，３ａ，３ｂ：脇下ニット部、
４：襟ぐり線、
５：ウェスト線、
６：ニット部
【図１】
2006152481.tif 000010
【図２】
2006152481.tif 000011
【図３】
2006152481.tif 000012
【図４】
2006152481.tif 000013